(57)【要約】  本発明の移動通信システムは、移動端末（６０）と、移動端末（６０）に対してＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する無線制御装置（２０）と、を有する。無線制御装置（２０）は、ＭＢＭＳ  ＭＯＤＩＦＩＥＤ  ＳＥＲＶＩＣＥＳ  ＩＮＦＯＲＭＡＴＩＯＮメッセージにセル識別情報を含める制御部（２１）と、移動端末（６０）に対して、セル識別情報を含むＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部（２２）と、を有する。
2009054186.tif 000002
【特許請求の範囲】
【請求項１】
移動端末と、前記移動端末に対してＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する無線制御装置と、を有してなる移動通信システムであって、
前記無線制御装置は、
前記ＭＢＭＳ  ＭＯＤＩＦＩＥＤ  ＳＥＲＶＩＣＥＳ  ＩＮＦＯＲＭＡＴＩＯＮメッセージにセル識別情報を含める制御部と、
前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部と、を有する移動通信システム。
【請求項２】
前記移動端末は、
前記無線制御装置からの、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージを受信する受信部と、
前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報が、前記移動端末のＭＢＭＳ制御セルのセル識別情報と一致する場合に、前記ＭＢＭＳ  ＭＯＤＩＦＩＥＤ  ＳＥＲＶＩＣＥＳ  ＩＮＦＯＲＭＡＴＩＯＮメッセージを処理する制御部と、を有する、請求項１に記載の移動通信システム。
【請求項３】
前記移動端末の前記制御部は、前記ＭＢＭＳ  ＭＯＤＩＦＩＥＤ  ＳＥＲＶＩＣＥＳ  ＩＮＦＯＲＭＡＴＩＯＮメッセージの処理として、前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報以外の他の情報を処理する、請求項２に記載の移動通信システム。
【請求項４】
前記他の情報は、前記移動端末に要求される動作の動作情報であって、
前記移動端末の前記制御部は、前記動作情報に基づき、無線ベアラに関する情報を取得する、請求項３に記載の移動通信システム。
【請求項５】
前記他の情報は、前記移動端末に要求される動作の動作情報であって、
前記移動端末の前記制御部は、前記動作情報に基づき、ＭＢＭＳサービスを受信するためのサービスリクエスト手順を開始する、請求項３に記載の移動通信システム。
【請求項６】
前記他の情報は、前記移動端末に要求される動作の動作情報であって、
前記移動端末の前記制御部は、前記動作情報に基づき、ＭＢＭＳサービスの受信を停止する、請求項３に記載の移動通信システム。
【請求項７】
前記セル識別情報は、前記移動端末が個別チャネルを確立している状態でハンドオーバ中のセルであり、かつ、サービスに変更があるＭＢＭＳのサービスエリアに含まれるセルの識別情報である、請求項１〜６のいずれか１項に記載の移動通信システム。
【請求項８】
無線制御装置と、前記無線制御装置に対してＭＢＭＳ  ＭＯＤＩＦＩＣＡＴＩＯＮ  ＲＥＱＵＥＳＴメッセージをＤＣＣＨ上で送信する移動端末と、を有してなる移動通信システムであって、
前記移動端末は、
前記ＭＢＭＳ  ＭＯＤＩＦＩＣＡＴＩＯＮ  ＲＥＱＵＥＳＴメッセージにセル識別情報を含める制御部と、
前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する送信部と、を有する移動通信システム。
【請求項９】
前記制御部は、前記セル識別情報を前記移動端末のＭＢＭＳ制御セルのセル識別情報に設定する、請求項８に記載の移動通信システム。
【請求項１０】
前記セル識別情報は、前記移動端末のＭＢＭＳ制御セルのセル識別情報である、請求項８に記載の移動通信システム。
【請求項１１】
前記セル識別情報は、前記移動端末がシステム情報を受信したセルの識別情報である、請求項８に記載の移動通信システム。
【請求項１２】
前記セル識別情報は、プライマリスクランブリングコードまたはセルＩＤである、請求項１〜１１のいずれか１項に記載の移動通信システム。
【請求項１３】
移動端末に対してＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する無線制御装置であって、
前記ＭＢＭＳ  ＭＯＤＩＦＩＥＤ  ＳＥＲＶＩＣＥＳ  ＩＮＦＯＲＭＡＴＩＯＮメッセージにセル識別情報を含める制御部と、
前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部と、を有する無線制御装置。
【請求項１４】
前記セル識別情報は、前記移動端末によって、前記ＭＢＭＳ  ＭＯＤＩＦＩＥＤ  ＳＥＲＶＩＣＥＳ  ＩＮＦＯＲＭＡＴＩＯＮメッセージを処理するか否かの判断に使用され、
前記移動端末では、前記セル識別情報と前記移動端末のＭＢＭＳ制御セルのセル識別情報と一致する場合に、前記ＭＢＭＳ  ＭＯＤＩＦＩＥＤ  ＳＥＲＶＩＣＥＳ  ＩＮＦＯＲＭＡＴＩＯＮメッセージが処理される、請求項１３に記載の無線制御装置。
【請求項１５】
前記移動端末では、前記ＭＢＭＳ  ＭＯＤＩＦＩＥＤ  ＳＥＲＶＩＣＥＳ  ＩＮＦＯＲＭＡＴＩＯＮメッセージの処理として、前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報以外の他の情報が処理される、請求項１４に記載の無線制御装置。
【請求項１６】
前記セル識別情報は、前記移動端末が個別チャネルを確立している状態でハンドオーバ中のセルであり、かつ、サービスに変更があるＭＢＭＳのサービスエリアに含まれるセルの識別情報である、請求項１３から１５のいずれか１項に記載の無線制御装置。
【請求項１７】
前記セル識別情報は、プライマリスクランブリングコードまたはセルＩＤである、請求項１３から１６のいずれか１項に記載の無線制御装置。
【請求項１８】
無線制御装置から、ＭＢＭＳ  ＭＯＤＩＦＩＥＤ  ＳＥＲＶＩＣＥＳ  ＩＮＦＯＲＭＡＴＩＯＮメッセージをＤＣＣＨ上で受信する移動端末であって、
前記無線制御装置から、セル識別情報を含む前記ＭＢＭＳ  ＭＯＤＩＦＩＥＤ  ＳＥＲＶＩＣＥＳ  ＩＮＦＯＲＭＡＴＩＯＮメッセージを受信する受信部を有する、移動端末。
【請求項１９】
前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報が、前記移動端末のＭＢＭＳ制御セルのセル識別情報と一致する場合に、前記ＭＢＭＳ  ＭＯＤＩＦＩＥＤ  ＳＥＲＶＩＣＥＳ  ＩＮＦＯＲＭＡＴＩＯＮメッセージを処理する制御部をさらに有する、請求項１８に記載の移動端末。
【請求項２０】
前記制御部は、前記ＭＢＭＳ  ＭＯＤＩＦＩＥＤ  ＳＥＲＶＩＣＥＳ  ＩＮＦＯＲＭＡＴＩＯＮメッセージの処理として、前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報以外の他の情報を処理する、請求項１９に記載の移動端末。
【請求項２１】
前記他の情報は、前記移動端末に要求される動作の動作情報であって、
前記制御部は、前記動作情報に基づき、無線ベアラに関する情報を取得する、請求項２０に記載の移動端末。
【請求項２２】
前記他の情報は、前記移動端末に要求される動作の動作情報であって、
前記制御部は、前記動作情報に基づき、ＭＢＭＳサービスを受信するためのサービスリクエスト手順を開始する、請求項２０に記載の移動端末。
【請求項２３】
前記他の情報は、前記移動端末に要求される動作の動作情報であって、
前記制御部は、前記動作情報に基づき、ＭＢＭＳサービスの受信を停止する、請求項２０に記載の移動端末。
【請求項２４】
前記セル識別情報は、前記移動端末が個別チャネルを確立している状態でハンドオーバ中のセルであり、かつ、サービスに変更があるＭＢＭＳのサービスエリアに含まれるセルの識別情報である、請求項１８から２３のいずれか１項に記載の移動端末。
【請求項２５】
無線制御装置に対してＭＢＭＳ  ＭＯＤＩＦＩＣＡＴＩＯＮ  ＲＥＱＵＥＳＴメッセージをＤＣＣＨ上で送信する移動端末であって、
前記ＭＢＭＳ  ＭＯＤＩＦＩＣＡＴＩＯＮ  ＲＥＱＵＥＳＴメッセージにセル識別情報を含める制御部と、
前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する送信部と、を有する移動端末。
【請求項２６】
前記制御部は、前記セル識別情報を前記移動端末のＭＢＭＳ制御セルのセル識別情報に設定する、請求項２５に記載の移動端末。
【請求項２７】
前記セル識別情報は、前記移動端末のＭＢＭＳ制御セルのセル識別情報である、請求項２５に記載の移動端末。
【請求項２８】
前記セル識別情報は、前記移動端末がシステム情報を受信したセルの識別情報である、請求項２５に記載の移動端末。
【請求項２９】
前記セル識別情報は、プライマリスクランブリングコードまたはセルＩＤである、請求項１８〜２８のいずれか１項に記載の移動端末。
【請求項３０】
無線制御装置から移動端末に対し、ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信するためのメッセージ送信方法であって、
前記無線制御装置が、前記ＭＢＭＳ  ＭＯＤＩＦＩＥＤ  ＳＥＲＶＩＣＥＳ  ＩＮＦＯＲＭＡＴＩＯＮメッセージにセル識別情報を含め、
前記無線制御装置が、前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する、メッセージ送信方法。
【請求項３１】
前記移動端末が、前記無線制御装置からの、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージを受信し、
前記移動端末が、前記ＭＢＭＳ  ＭＯＤＩＦＩＥＤ  ＳＥＲＶＩＣＥＳ  ＩＮＦＯＲＭＡＴＩＯＮメッセージに含まれる前記セル識別情報が、前記移動端末のＭＢＭＳ制御セルのセル識別情報と一致する場合に、前記ＭＢＭＳ  ＭＯＤＩＦＩＥＤ  ＳＥＲＶＩＣＥＳ  ＩＮＦＯＲＭＡＴＩＯＮメッセージを処理する、請求項３０に記載のメッセージ送信方法。
【請求項３２】
前記セル識別情報は、前記移動端末が個別チャネルを確立している状態でハンドオーバ中のセルであり、かつ、サービスに変更があるＭＢＭＳのサービスエリアに含まれるセルの識別情報である、請求項３０または３１に記載のメッセージ送信方法。
【請求項３３】
移動端末から無線制御装置に対し、ＭＢＭＳ  ＭＯＤＩＦＩＣＡＴＩＯＮ  ＲＥＱＵＥＳＴメッセージをＤＣＣＨ上で送信するためのメッセージ送信方法であって、
前記移動端末が、前記ＭＢＭＳ  ＭＯＤＩＦＩＣＡＴＩＯＮ  ＲＥＱＵＥＳＴメッセージにセル識別情報を含め、
前記移動端末が、前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する、メッセージ送信方法。
【請求項３４】
前記移動端末が、前記セル識別情報を前記移動端末のＭＢＭＳ制御セルのセル識別情報に設定する、請求項３３に記載のメッセージ送信方法。
【請求項３５】
前記セル識別情報は、前記移動端末のＭＢＭＳ制御セルのセル識別情報である、請求項３３に記載のメッセージ送信方法。
【請求項３６】
前記セル識別情報は、前記移動端末がシステム情報を受信したセルの識別情報である、請求項３３に記載のメッセージ送信方法。
【請求項３７】
前記セル識別情報は、プライマリスクランブリングコードまたはセルＩＤである、請求項３０〜３６のいずれか１項に記載のメッセージ送信方法。
【発明の詳細な説明】
【技術分野】
【０００１】
本発明は、ＭＢＭＳ（Multimedia  Broadcast  Multicast  Service）を提供するための移動通信システム、無線制御装置、移動端末、およびメッセージ送信方法に関する。
【背景技術】
【０００２】
近年、複数の移動端末に対して、動画や音楽などのマルチメディアデータ（以下、ＭＢＭＳデータと称す）を、ブロードキャストまたはマルチキャストで同時に配信するＭＢＭＳと呼ばれるサービスが実用化されている。【０００３】
図１に、ＭＢＭＳを提供し得る移動通信システムの構成を示す。なお、図１の構成は、３ＧＰＰ（3rd  Generation  Partnership  Projects）に規定されている。【０００４】
図１に示すように、移動通信システムは、ＵＴＲＡＮ（Universal  Terrestrial  Radio  Access  Network）１０が、ＣＮ（Core  Network）４０と接続された構成になっている。なお、ＣＮ４０においては、ＵＴＲＡＮ１０との接続点に、ＳＧＳＮ（Serving  GPRS  Support  Node）５０が設けられている。【０００５】
ＵＴＲＡＮ１０は、ＲＮＣ（Radio  Network  Controller；無線制御装置）２０と、Ｎｏｄｅ  Ｂ（基地局装置）３０と、から構成されている。なお、Ｎｏｄｅ  Ｂ３０は、１つまたは複数のセルをカバーするものであり、ＵＥ（User  Equipment；移動端末）６０と無線インタフェースを介して接続されている。【０００６】
上記のように構成された移動通信システムにおいては、ＭＢＭＳが開始される場合、まず、ＲＮＣ２０は、該当するＭＢＭＳに興味があるＵＥ６０に対し、ＭＢＭＳが開始されることを通知するために、ＭＢＭＳ  ＭＯＤＩＦＩＥＤ  ＳＥＲＶＩＣＥＳ  ＩＮＦＯＲＭＡＴＩＯＮメッセージを送信し、その後に、ＭＢＭＳデータの配信を開始する。なお、ＭＢＭＳにその他の変更がある場合（例えば、ＭＢＭＳが終了する場合）も同様に、ＲＮＣ２０からＵＥ６０に対し、ＭＢＭＳ  ＭＯＤＩＦＩＥＤ  ＳＥＲＶＩＣＥＳ  ＩＮＦＯＲＭＡＴＩＯＮメッセージが送信される。【０００７】
ＭＢＭＳ  ＭＯＤＩＦＩＥＤ  ＳＥＲＶＩＣＥＳ  ＩＮＦＯＲＭＡＴＩＯＮメッセージを送信する方法としては、例えば、特許文献１に開示されているように、ＭＣＣＨ（MBMS  point-to-multipoint  Control  Channel）を用いる方法が考えられる。一般的に、ＵＥ６０が個別チャネルを確立している状態（Ｃｅｌｌ＿ＤＣＨ）において、ＵＥ６０は、個別チャネルのＤＰＤＣＨでの受信はできる一方で、共通チャネルのＳ−ＣＣＰＣＨでの受信はできない。ここで、ＭＣＣＨはこのＳ−ＣＣＰＣＨに、マッピングされる。そのため、ＵＥ６０が個別チャネルを確立している状態において、ＵＥ６０は、ＭＣＣＨでの受信ができない。【０００８】
また、ＭＢＭＳ  ＭＯＤＩＦＩＥＤ  ＳＥＲＶＩＣＥＳ  ＩＮＦＯＲＭＡＴＩＯＮメッセージを送信する他の方法として、ＵＥ６０がＭＩＣＨ（MBMS  notification  Indicator  Channel）をサポートしている場合は、ＭＩＣＨを用いる方法も考えられる。しかし、ＵＥ６０がＭＩＣＨをサポートしているかは、ＵＥ６０からＲＮＣ２０に通知されない。【０００９】
そのため、ＲＮＣ２０は、個別チャネルを確立している状態のＵＥ６０に対しては、ＤＣＣＨ（Dedicated  Control  Channel）上で、ＭＢＭＳ  ＭＯＤＩＦＩＥＤ  ＳＥＲＶＩＣＥＳ  ＩＮＦＯＲＭＡＴＩＯＮメッセージを送信する必要がある。【００１０】
なお、ＵＥ６０は、事前に、事業者が提供しているＭＢＭＳの中から選択したＭＢＭＳをＭＢＭＳ  ＭＯＤＩＦＩＣＡＴＩＯＮ  ＲＥＱＵＥＳＴメッセージに設定し、ＲＮＣ２０に対して送信する。ＲＮＣ２０は、ＵＥ６０からのＭＢＭＳ  ＭＯＤＩＦＩＣＡＴＩＯＮ  ＲＥＱＵＥＳＴメッセージを基に、ＵＥ６０が興味を持っているＭＢＭＳを判断することになる。【００１１】
以下、関連するＭＢＭＳ  ＭＯＤＩＦＩＥＤ  ＳＥＲＶＩＣＥＳ  ＩＮＦＯＲＭＡＴＩＯＮメッセージおよびＭＢＭＳ  ＭＯＤＩＦＩＣＡＴＩＯＮ  ＲＥＱＵＥＳＴメッセージの送信方法について説明する。【００１２】
（１）ＭＢＭＳ  ＭＯＤＩＦＩＥＤ  ＳＥＲＶＩＣＥＳ  ＩＮＦＯＲＭＡＴＩＯＮメッセージの送信方法
ここでは、ＲＮＣ２０が、ＣＮ４０からＭＢＭＳ開始の通知を受けたことをトリガーにして、ＵＥ６０に対して、ＭＢＭＳの開始を表すＭＯＤＩＦＩＥＤ  ＳＥＲＶＩＣＥＳ  ＩＮＦＯＲＭＡＴＩＯＮメッセージを送信するものとして説明する。【００１３】
なお、ＣＮ４０からＭＢＭＳのその他の変更の通知を受けた場合も同様の方法で、ＭＯＤＩＦＩＥＤ  ＳＥＲＶＩＣＥＳ  ＩＮＦＯＲＭＡＴＩＯＮメッセージが送信される。【００１４】
図２に示すように、ＲＮＣ２０は、ステップ１２０１において、ＣＮ４０からＭＢＭＳの開始を表すＭＢＭＳ  ＳＥＳＳＩＯＮ  ＳＴＡＲＴメッセージを受信すると、ステップ１２０２において、該当するＭＢＭＳのサービスエリアとなるセルを分析し、無線リソースを確立する。【００１５】
次に、ＲＮＣ２０は、ステップ１２０３において、ＲＮＣ２０の持つメモリを検索し、該当するＭＢＭＳに興味を持っているＵＥ６０を検索する。【００１６】
次に、ＲＮＣ２０は、ステップ１２０４において、ステップ１２０３で検索されたＵＥ６０が個別チャネルを確立している状態であるか判定する。【００１７】
もし、ステップ１２０３で検索されたＵＥ６０が個別チャネルを確立している状態であれば、ＲＮＣ２０は、ステップ１２０５において、ＭＢＭＳ  ＭＯＤＩＦＩＥＤ  ＳＥＲＶＩＣＥＳ  ＩＮＦＯＲＭＡＴＩＯＮメッセージを、ＤＣＣＨ上で送信する。【００１８】
なお、ステップ１２０３で検索されたＵＥ６０が個別チャネルを確立していない状態であれば、ＲＮＣ２０は、ＭＢＭＳ  ＭＯＤＩＦＩＥＤ  ＳＥＲＶＩＣＥＳ  ＩＮＦＯＲＭＡＴＩＯＮメッセージを、ＭＣＣＨ上またはＭＩＣＨ上で送信することになる。【００１９】
（２）ＭＢＭＳ  ＭＯＤＩＦＩＣＡＴＩＯＮ  ＲＥＱＵＥＳＴメッセージの送信方法
３ＧＰＰでは、ＭＯＣＮ（Multi-Operator  Core  Network），ＧＷＣＮ（Gateway  Core  Network）等のネットワーク構成において、ＲＮＣ２０、ＮｏｄｅＢ３０、セル、および周波数帯を複数の事業者で共有することが可能である。このような環境は、ネットワークシェアリング環境と呼ばれる。【００２０】
ネットワークシェアリング環境下では、ＲＮＣ２０は、システム情報である報知情報のＭＩＢ（Master  Information  Block）に複数の事業者リスト（Multiple  PLMN  List）を設定した上で、報知情報をＵＥ６０に通知する。【００２１】
ＵＥ６０は、ネットワークシェアリング環境下で、複数の事業者が提供しているＭＢＭＳの中から選択したＭＢＭＳを、ＭＢＭＳ  Ｓｅｌｅｃｔｅｄ  Ｓｅｒｖｉｃｅ  Ｉｎｆｏパラメータによって、ＭＢＭＳ  ＭＯＤＩＦＩＣＡＴＩＯＮ  ＲＥＱＵＥＳＴメッセージに設定して、ＲＮＣ２０に通知することができる。例えば、ＵＥ６０がＭｏｂｉｌｅ−ＴＶでチャネル操作によって選択したＭＢＭＳがＵＴＲＡＮ１０に通知される。ＭＢＭＳのサービスは、事業者毎にサービスＩＤ（識別情報）が定義されている。【００２２】
ＵＥ６０は、選択したＭＢＭＳを、次の（Ａ）〜（Ｃ）のいずれかの方法によりそのＭＢＭＳを提供している事業者を示すことにより、ＭＢＭＳ  ＭＯＤＩＦＩＣＡＴＩＯＮ  ＲＥＱＵＥＳＴメッセージに設定する。
（Ａ）ＭＩＢの事業者リスト中の事業者ＩＤ（識別情報）と同じ事業者ＩＤを示す
（Ｂ）ＭＩＢの事業者リストの何番目の事業者ＩＤを指すかを示す
（Ｃ）ＭＩＢに依存せず、事業者ＩＤ自体を送信する
ＵＥ６０が、（Ａ）〜（Ｃ）のどの方法を使用するかは、標準上、明確化されていないため、ＵＥ６０の実装方法に依存する。【００２３】
しかしながら、上述した、ＭＢＭＳ  ＭＯＤＩＦＩＥＤ  ＳＥＲＶＩＣＥＳ  ＩＮＦＯＲＭＡＴＩＯＮメッセージの送信方法およびＭＢＭＳ  ＭＯＤＩＦＩＣＡＴＩＯＮ  ＲＥＱＵＥＳＴメッセージの送信方法には、次のような課題がある。【００２４】
（１）ＭＯＤＩＦＩＥＤ  ＳＥＲＶＩＣＥＳ  ＩＮＦＯＲＭＡＴＩＯＮメッセージの送信方法の課題
ＵＥ６０は、図３に示すように、個別チャネルを確立している状態では、複数のセルへの無線リンク（以下、Ｒａｄｉｏ  Ｌｉｎｋ）を持つ、ハンドオーバ状態（複数のセルへソフトハンドオーバ中である状態。以下、同じ）となることができる。【００２５】
ＵＥ６０は、ＭＢＭＳによるＭＢＭＳデータを受信するにあたっては、まず、該当するＭＢＭＳに関するＭＢＭＳ制御情報（例えば、どのセルのＭＢＭＳデータを受信して合成するか等の情報）をＭＣＣＨ上で読み出し、その後に、ＭＣＣＨ上で読み出したＭＢＭＳ制御情報を基にＭＢＭＳデータを受信することになる。このときに、ＭＣＣＨ上でＭＢＭＳ制御情報を読み出すセルのことをＭＢＭＳ制御セルと呼ぶ。ＵＥ６０がハンドオーバ状態にあれば、ハンドオーバでＲａｄｉｏ  Ｌｉｎｋを確立している複数のセルのいずれかがＭＢＭＳ制御セルの候補となる。なお、ＵＥ６０がどのセルをＭＢＭＳ制御セルとして選択しているかは、ＲＮＣ２０には通知されない。【００２６】
例えば、図３に示すように、ＵＥ６０が、ハンドオーバ中に、セル１、セル２、およびセル３にまたがってハンドオーバしており、セル２をＭＢＭＳ制御セルとして選択してＭＣＣＨでＭＢＭＳ制御情報を受信すると仮定する。また、セル２では、ＭＢＭＳのサービス２が既に開始され、セル３では既にＭＢＭＳのサービス３が開始されていると仮定する。また、ＣＮ４０からのＭＢＭＳ  ＳＥＳＳＩＯＮ  ＳＴＡＲＴメッセージによって、ＭＢＭＳのサービス１が開始されるものとし、サービス１のサービスエリアがセル１、セル４、セル５、およびセル６であると仮定する。つまり、サービス１はセル１にて開始され、セル２およびセル３では開始されないものとする。【００２７】
この場合、ＲＮＣ２０は、サービス１に関するＭＢＭＳ  ＭＯＤＩＦＩＥＤ  ＳＥＲＶＩＣＥＳ  ＩＮＦＯＲＭＡＴＩＯＮメッセージをＵＥ６０に送信するが、ＭＢＭＳ  ＭＯＤＩＦＩＥＤ  ＳＥＲＶＩＣＥＳ  ＩＮＦＯＲＭＡＴＩＯメッセージでは、セルに関する情報を通知することができないため、ＵＥ６０が誤動作してしまうことがあり得る。【００２８】
以下、この問題について詳述する。【００２９】
ＵＥ６０は、セル２をＭＢＭＳ制御セルとして選択しており、セル２で開始されているサービス２に関するＭＢＭＳ制御情報のみをＭＣＣＨ上で読み出すことができる。言い換えれば、ＵＥ６０は、セル２では開始されないサービス１に関するＭＢＭＳ制御情報についてはＭＣＣＨ上で読み出すことができず、その結果、サービス１によるＭＢＭＳデータを受信することはできない。【００３０】
一方、ＲＮＣ２０は、ＵＥ６０がセル１、セル２、およびセル３にハンドオーバしているため、サービス１に関するＭＢＭＳ  ＭＯＤＩＦＩＥＤ  ＳＥＲＶＩＣＥＳ  ＩＮＦＯＲＭＡＴＩＯＮメッセージを、セル１、セル２、およびセル３を介して、ＤＣＣＨ上でＵＥ６０に送信する。このとき、ＲＮＣ２０からＵＥ６０に対して送信されるＭＢＭＳ  ＭＯＤＩＦＩＥＤ  ＳＥＲＶＩＣＥＳ  ＩＮＦＯＲＭＡＴＩＯＮメッセージでは、上述のように、セルに関する情報は何ら通知されない。【００３１】
したがって、ＵＥ６０は、サービス１に関するＭＢＭＳ  ＭＯＤＩＦＩＥＤ  ＳＥＲＶＩＣＥＳ  ＩＮＦＯＲＭＡＴＩＯＮメッセージがどのセルに対して送信されたものかを知ることができないため、サービス１がどのセルで開始されているかを判断できない。【００３２】
そのため、ＵＥ６０が、サービス１に関するＭＢＭＳ  ＭＯＤＩＦＩＥＤ  ＳＥＲＶＩＣＥＳ  ＩＮＦＯＲＭＡＴＩＯＮメッセージを処理してしまい、サービス１によるＭＢＭＳデータを受信できないにも拘らずその受信を試みてしまうという問題が生じる。【００３３】
また、ＵＥ６０の能力によっては、複数のＭＢＭＳによるＭＢＭＳデータを同時に受信できない場合や、ＭＢＭＳとＭＢＭＳ以外のサービス（通常のパケットサービス）によるＭＢＭＳデータを同時に受信できない場合がある。そのようなＵＥ６０では、ＤＣＣＨ上でサービス１に関するＭＯＤＩＦＩＥＤ  ＳＥＲＶＩＣＥＳ  ＩＮＦＯＲＭＡＴＩＯＮメッセージを受信した時に、サービス１と現在通信中のＭＢＭＳやＭＢＭＳ以外のサービスとの優先度付けを行う。【００３４】
そして、ＵＥ６０は、サービス１の優先度が高ければ、サービス１によるＭＢＭＳデータを受信するために、例えば、Ｄｅａｃｔｉｖａｔｅ  ＰＤＰ  ｃｏｎｔｅｘｔ  ｒｅｑｕｅｓｔ手順によって、現在通信中の他の低優先度のＭＢＭＳやＭＢＭＳ以外のサービスを終了し、ベアラ解放処理を行ってしまうという問題も生じる。【００３５】
（２）ＭＢＭＳ  ＭＯＤＩＦＩＣＡＴＩＯＮ  ＲＥＱＵＥＳＴメッセージの送信方法の課題
上述のように、ＵＥ６０が、ＭＢＭＳ  ＭＯＤＩＦＩＣＡＴＩＯＮ  ＲＥＱＵＥＳＴメッセージにおいて、選択したＭＢＭＳを提供している事業者を示す方法には、（Ａ）〜（Ｃ）の方法がある。【００３６】
このうち、（Ａ）および（Ｂ）の方法は、報知情報に依存して、事業者ＩＤを簡略化して通知する方法である。しかしながら、ＵＥ６０からＲＮＣ２０に対して送信するＭＢＭＳ  ＭＯＤＩＦＩＣＡＴＩＯＮ  ＲＥＱＵＥＳＴメッセージでは、セルに関する情報を通知することができないため、（Ａ）および（Ｂ）の方法では、ネットワークシェアリング環境下では、ＲＮＣ２０が誤動作してしまうことがあり得る。【００３７】
以下、この問題について詳述する。【００３８】
図４に、３つの事業者のＳＧＳＮ５０が１つのＲＮＣ２０に接続しているネットワークシェアリング構成を示す。なお、図４は、ＳＧＳＮ５０とＲＮＣ２０の関係を示したもので、図５は、各セルがどの事業者によって制御されているかを示したものである。【００３９】
図５に示すように、上位装置のＲＮＣ２０が、事業者１のセル１、事業者２のセル２、事業者３のセル３によって制御されているケース、すなわちＲＮＣ２０が複数の事業者によって共有されているケースを例に考える。この場合、セル１では事業者１のサービスＩＤ＝１のサービスが、セル２では事業者２のサービスＩＤ＝１のサービスが、セル３では事業者３のサービスＩＤ＝１のサービスが実施されていると仮定する。ただし、ＭＢＭＳのサービスは、事業者毎にサービスＩＤが定義されるため、サービスＩＤが同じであっても、事業者ＩＤが異なれば、同じサービスとは限らない。また、ＵＥ６０がセル１、セル２、およびセル３にまたがってハンドオーバし、報知情報は、セル２から読み込んでいると仮定する。【００４０】
ここで、図５のようなケースにおいて、図６に示すステップ１６０１，１６０２により、ＵＥ６０が、仮に（Ａ）または（Ｂ）の方法でＭＢＭＳ  ＭＯＤＩＦＩＣＡＴＩＯＮ  ＲＥＱＵＥＳＴメッセージをＲＮＣ２０に対して送信したとする。【００４１】
しかしながら、ＭＢＭＳ  ＭＯＤＩＦＩＣＡＴＩＯＮ  ＲＥＱＵＥＳＴメッセージでは、上述のように、セルに関する情報は何ら通知されない。【００４２】
したがって、ＲＮＣ２０は、ＭＢＭＳ  ＭＯＤＩＦＩＣＡＴＩＯＮ  ＲＥＱＵＥＳＴメッセージによっては、ＵＥ６０がどのセルで報知情報を読み込んでいるかといったこと等を知り得ない。そのため、ＵＥ６０が（Ａ）または（Ｂ）の簡略化された方法で事業者ＩＤを通知してきた場合、ＲＮＣ２０が、ＵＥ６０が選択した事業者を、セル２ではなく、セル１またはセル３の事業者と誤解してしまう可能性がある。【００４３】
このように、ＲＮＣ２０が、ＵＥ６０が選択した事業者を誤解してしまうと、ＵＥ６０に対して、ＭＢＭＳが変更されたことを正しく通知できないという問題が生じる。【００４４】
以上の通り、ＭＢＭＳ  ＭＯＤＩＦＩＥＤ  ＳＥＲＶＩＣＥＳ  ＩＮＦＯＲＭＡＴＩＯＮメッセージおよびＭＢＭＳ  ＭＯＤＩＦＩＣＡＴＩＯＮ  ＲＥＱＵＥＳＴメッセージでは、セルに関する情報を通知することができないという課題がある。
【特許文献１】特開２００４−３１２７５０号公報
【発明の開示】
【００４５】
そこで、本発明の目的は、上述した課題を解決することができる移動通信システム、無線制御装置、移動端末、およびメッセージ送信方法を提供することにある。
【００４６】
本発明の第１の移動通信システムは、移動端末と、前記移動端末に対してＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する無線制御装置と、を有してなる移動通信システムであって、前記無線制御装置は、前記ＭＢＭＳ  ＭＯＤＩＦＩＥＤ  ＳＥＲＶＩＣＥＳ  ＩＮＦＯＲＭＡＴＩＯＮメッセージにセル識別情報を含める制御部と、前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部と、を有する。
【００４７】
本発明の第２の移動通信システムは、無線制御装置と、前記無線制御装置に対してＭＢＭＳ  ＭＯＤＩＦＩＣＡＴＩＯＮ  ＲＥＱＵＥＳＴメッセージをＤＣＣＨ上で送信する移動端末と、を有してなる移動通信システムであって、前記移動端末は、前記ＭＢＭＳ  ＭＯＤＩＦＩＣＡＴＩＯＮ  ＲＥＱＵＥＳＴメッセージにセル識別情報を含める制御部と、前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する送信部と、を有する。
【００４８】
本発明の無線制御装置は、移動端末に対してＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する無線制御装置であって、前記ＭＢＭＳ  ＭＯＤＩＦＩＥＤ  ＳＥＲＶＩＣＥＳ  ＩＮＦＯＲＭＡＴＩＯＮメッセージにセル識別情報を含める制御部と、前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部と、を有する。
【００４９】
本発明の第１の移動端末は、無線制御装置から、ＭＢＭＳ  ＭＯＤＩＦＩＥＤ  ＳＥＲＶＩＣＥＳ  ＩＮＦＯＲＭＡＴＩＯＮメッセージをＤＣＣＨ上で受信する移動端末であって、前記無線制御装置からの、セル識別情報を含む前記ＭＢＭＳ  ＭＯＤＩＦＩＥＤ  ＳＥＲＶＩＣＥＳ  ＩＮＦＯＲＭＡＴＩＯＮメッセージを受信する受信部を有する。
【００５０】
本発明の第２の移動端末は、無線制御装置に対してＭＢＭＳ  ＭＯＤＩＦＩＣＡＴＩＯＮ  ＲＥＱＵＥＳＴメッセージをＤＣＣＨ上で送信する移動端末であって、前記ＭＢＭＳ  ＭＯＤＩＦＩＣＡＴＩＯＮ  ＲＥＱＵＥＳＴメッセージにセル識別情報を含める制御部と、前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する送信部と、を有する。
【００５１】
本発明の第１のメッセージ送信方法は、無線制御装置から移動端末に対し、ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信するためのメッセージ送信方法であって、前記無線制御装置が、前記ＭＢＭＳ  ＭＯＤＩＦＩＥＤ  ＳＥＲＶＩＣＥＳ  ＩＮＦＯＲＭＡＴＩＯＮメッセージにセル識別情報を含め、前記無線制御装置が、前記移動端末に対して、前記セル識別情報を含む前記ＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する。
【００５２】
本発明の第２のメッセージ送信方法は、移動端末から無線制御装置に対し、ＭＢＭＳ  ＭＯＤＩＦＩＣＡＴＩＯＮ  ＲＥＱＵＥＳＴメッセージをＤＣＣＨ上で送信するためのメッセージ送信方法であって、前記移動端末が、前記ＭＢＭＳ  ＭＯＤＩＦＩＣＡＴＩＯＮ  ＲＥＱＵＥＳＴメッセージにセル識別情報を含め、前記移動端末が、前記無線制御装置に対して、前記セル識別情報を含む前記ＭＢＭＳ  ＭＯＤＩＦＩＣＡＴＩＯＮ  ＲＥＱＵＥＳＴメッセージをＤＣＣＨ上で送信する。
【００５３】
本発明の第１の移動通信システムによれば、無線制御装置は、ＭＢＭＳ  ＭＯＤＩＦＩＥＤ  ＳＥＲＶＩＣＥＳ  ＩＮＦＯＲＭＡＴＩＯＮメッセージにセル識別情報を含めて、移動端末に対して、ＤＣＣＨ上で送信する。
【００５４】
したがって、無線制御装置は、ＭＢＭＳ  ＭＯＤＩＦＩＥＤ  ＳＥＲＶＩＣＥＳ  ＩＮＦＯＲＭＡＴＩＯＮメッセージによって、セルに関する情報を移動端末に通知することができるという効果が得られる。
【００５５】
本発明の第２の移動通信システムによれば、移動端末は、ＭＢＭＳ  ＭＯＤＩＦＩＣＡＴＩＯＮ  ＲＥＱＵＥＳＴメッセージにセル識別情報を含めて、無線制御装置に対して、ＤＣＣＨ上で送信する。
【００５６】
したがって、移動端末は、ＭＢＭＳ  ＭＯＤＩＦＩＣＡＴＩＯＮ  ＲＥＱＵＥＳＴメッセージによって、セルに関する情報を無線制御装置に通知することができるという効果が得られる。
【図面の簡単な説明】
【００５７】
【図１】関連する移動通信システムの構成を示す図である。
【図２】関連するＭＢＭＳ  ＭＯＤＩＦＩＥＤ  ＳＥＲＶＩＣＥＳ  ＩＮＦＯＲＭＡＴＩＯＮメッセージの送信方法を説明するシーケンス図である。
【図３】１つの事業者によってＲＮＣが制御されているセル構成において、ハンドオーバ中のＵＥを説明する図である。
【図４】複数の事業者によって制御されているＲＮＣを説明する図である。
【図５】複数の事業者によってＲＮＣが制御されているセル構成において、ハンドオーバ中のＵＥを説明する図である。
【図６】関連するＭＢＭＳ  ＭＯＤＩＦＩＣＡＴＩＯＮ  ＲＥＱＵＥＳＴメッセージの送信方法を説明するシーケンス図である。
【図７】本発明の第１の実施形態に係る無線制御装置の構成を示すブロック図である。
【図８】本発明の第１の実施形態に係る移動端末の構成を示すブロック図である。
【図９】本発明の第１の実施形態に係るＭＢＭＳ  ＭＯＤＩＦＩＣＡＴＩＯＮ  ＲＥＱＵＥＳＴメッセージの送信方法を説明するシーケンス図である。
【図１０】本発明の第２の実施形態に係る移動端末の構成を示すブロック図である。
【図１１】本発明の第２の実施形態に係るＭＢＭＳ  ＭＥＡＳＵＲＥＭＥＮＴ  ＲＥＰＯＲＴメッセージの送信方法を説明するシーケンス図である。
【図１２】本発明の第３の実施形態に係る無線制御装置の構成を示すブロック図である。
【図１３】本発明の第３の実施形態に係る移動端末の構成を示すブロック図である。
【図１４】本発明の第３の実施形態に係るＭＢＭＳ  ＭＯＤＩＦＩＥＤ  ＳＥＲＶＩＣＥＳ  ＩＮＦＯＲＭＡＴＩＯＮメッセージの送信方法を説明するシーケンス図である。
【図１５】本発明の第３の実施形態に係るＭＢＭＳ  ＭＯＤＩＦＩＣＡＴＩＯＮ  ＲＥＱＵＥＳＴメッセージの送信方法を説明するシーケンス図である。
【図１６】本発明の第３の実施形態に係るＭＢＭＳ  ＭＥＡＳＵＲＥＭＥＮＴ  ＲＥＰＯＲＴメッセージの送信方法を説明するシーケンス図である。
【発明を実施するための最良の形態】
【００５８】
以下に、本発明を実施するための最良の形態について図面を参照して説明する。
なお、本実施形態の移動通信システムの全体構成は、図１に示したものと同様である。【００５９】
（第１の実施形態）
図７および図８に、本発明の第１の実施形態に係るＲＮＣ２０およびＵＥ６０の構成をそれぞれ示す。【００６０】
図７に示すように、ＲＮＣ２０は、ＭＢＭＳ  ＭＯＤＩＦＩＥＤ  ＳＥＲＶＩＣＥＳ  ＩＮＦＯＲＭＡＴＩＯＮメッセージにセル識別情報を含める制御部２１と、ＵＥ６０に対して、セル識別情報を含むＭＢＭＳ  ＭＯＤＩＦＩＥＤ  ＳＥＲＶＩＣＥＳ  ＩＮＦＯＲＭＡＴＩＯＮメッセージをＤＣＣＨ上で送信する送信部２２と、を有している。【００６１】
また、図８に示すように、ＵＥ６０は、ＲＮＣ２０から、セル識別情報を含むＭＢＭＳ  ＭＯＤＩＦＩＥＤ  ＳＥＲＶＩＣＥＳ  ＩＮＦＯＲＭＡＴＩＯＮメッセージをＤＣＣＨ上で受信する受信部６３を有している。【００６２】
以下、本実施形態によるＭＢＭＳ  ＭＯＤＩＦＩＥＤ  ＳＥＲＶＩＣＥＳ  ＩＮＦＯＲＭＡＴＩＯＮメッセージの送信方法について、図９を参照して説明する。【００６３】
図９に示すように、ＲＮＣ２０の制御部２１は、ステップ３０１において、セル識別情報をＭＢＭＳ  ＭＯＤＩＦＩＥＤ  ＳＥＲＶＩＣＥＳ  ＩＮＦＯＲＭＡＴＩＯＮメッセージに含める。【００６４】
次に、ＲＮＣ２０の送信部２２は、ステップ３０２において、ＤＣＣＨ上で、セル識別情報を含むＭＢＭＳ  ＭＯＤＩＦＩＥＤ  ＳＥＲＶＩＣＥＳ  ＩＮＦＯＲＭＡＴＩＯＮメッセージを、ＵＥ６０に送信する。【００６５】
そして、ＵＥ６０の受信部６３は、セル識別情報を含むＭＢＭＳ  ＭＯＤＩＦＩＥＤ  ＳＥＲＶＩＣＥＳ  ＩＮＦＯＲＭＡＴＩＯＮメッセージを受信する。【００６６】
したがって、本実施形態においては、ＲＮＣ２０は、ＭＢＭＳ  ＭＯＤＩＦＩＥＤ  ＳＥＲＶＩＣＥＳ  ＩＮＦＯＲＭＡＴＩＯＮメッセージによって、セルに関する情報をＵＥ６０に通知することができる。【００６７】
（第２の実施形態）
図１０に、本発明の第２の実施形態に係るＵＥ６０の構成を示す。【００６８】
図１０に示すように、ＵＥ６０は、ＭＢＭＳ  ＭＯＤＩＦＩＣＡＴＩＯＮ  ＲＥＱＵＥＳＴメッセージにセル識別情報を含める制御部６１と、ＲＮＣ２０に対して、セル識別情報を含むＭＢＭＳ  ＭＯＤＩＦＩＣＡＴＩＯＮ  ＲＥＱＵＥＳＴメッセージをＤＣＣＨ上で送信する送信部６２と、を有している。【００６９】
以下、本実施形態によるＭＢＭＳ  ＭＯＤＩＦＩＣＡＴＩＯＮ  ＲＥＱＵＥＳＴメッセージの送信方法について、図１１を参照して説明する。【００７０】
図１１に示すように、ＵＥ６０の制御部６１は、ステップ５０１において、セル識別情報をＭＢＭＳ  ＭＯＤＩＦＩＣＡＴＩＯＮ  ＲＥＱＵＥＳＴメッセージに含める。【００７１】
次に、ＵＥ６０の送信部６２は、ステップ５０２において、ＤＣＣＨ上で、セル識別情報を含むＭＢＭＳ  ＭＯＤＩＦＩＣＡＴＩＯＮ  ＲＥＱＵＥＳＴメッセージを、ＲＮＣ２０に送信する。【００７２】
したがって、本実施形態においては、ＵＥ６０は、ＭＢＭＳ  ＭＯＤＩＦＩＣＡＴＩＯＮ  ＲＥＱＵＥＳＴメッセージによって、セルに関する情報をＲＮＣ２０に通知することができる。【００７３】
（第３の実施形態）
図１２および図１３に、本発明の第３の実施形態に係るＲＮＣ２０およびＵＥ６０の構成をそれぞれ示す。本実施形態は、図７に示したＲＮＣ２０と図８および図１０に示したＵＥ６０の構成をより具体化したものである。【００７４】
図１２に示すように、ＲＮＣ２０は、呼毎にＵＥ６０の発信、着信、位置登録等の制御を行う呼制御部２４と、ＳＧＳＮ５０とサービスのセッション開始、停止等のセッション単位の制御を行うためのセッション制御部２５と、ＭＢＭＳのベアラに関する情報（ＴＭＧＩ（Temporary  Mobile  Group  Identity））やサービス受信を契約（Join）しているＵＥ６０の情報）を蓄積したＭＢＭＳベアラコンテキスト情報蓄積部２６と、ＳＧＳＮ５０側とＲＡＮＡＰ（Radio  Access  Network  Application  Part）メッセージの送受信を行う対ＣＮ信号送受信部２７と、ＵＥ６０側とＲＲＣメッセージの送受信を行うＲＲＣメッセージ送受信部２８と、を有している。【００７５】
なお、図１２においては、セッション制御部２５、ＭＢＭＳベアラコンテキスト情報蓄積部２６、呼制御部２４、および対ＣＮ信号送受信部２７により、図７に示した制御部２１を構成している。また、ＲＲＣメッセージ送受信部２８は、図７に示した送信部２２を有する他、受信部２３を有している。【００７６】
セッション制御部２５は、ＣＮ４０からＳＧＳＮ５０を介して初めてＲＡＮＡＰメッセージとしてＭＢＭＳ  ＳＥＳＳＩＯＮ  ＳＴＡＲＴメッセージを受信した際に、そのＭＢＭＳに関するベアラ情報（ＴＭＧＩ、ＭＢＭＳ  Ｓｅｓｓｉｏｎ  ＩＤ、ＭＢＭＳ  Ｓｅｓｓｉｏｎ  Ｒｅｐｅｔｉｔｉｏｎ  Ｎｕｍｂｅｒ、ＭＢＭＳサービスエリア情報、ＭＢＭＳベアラサービスタイプ（ＭＢＭＳ  Ｂｅａｒｅｒ  Ｓｅｒｖｉｃｅ  Ｔｙｐｅ）等）を、ＭＢＭＳベアラコンテキスト情報蓄積部２６に記憶させる。【００７７】
セッション制御部２５は、ＣＮ４０から要求されたＭＢＭＳサービスエリア情報を基に局データを読み出し、ＭＢＭＳを確立すべきセルの候補を決定する。【００７８】
また、セッション制御部２５は、ＭＢＭＳベアラサービスタイプがマルチキャスト、または、カウンティング手順を適用するブロードキャストのいずれかである場合には、ＣＮ４０からのセッション確立の要求に対して、ベアラ種別（ＰＴＭ（Point-to-Multi）ベアラ、またはＰＴＰ（Point-to-Point）ベアラのいずれか）を選択して、セッションを確立する。【００７９】
一方、セッション制御部２５は、ＭＢＭＳベアラサービスタイプがカウンティング手順を適用しないブロードキャストの場合には、ＣＮ４０からのセッション確立の要求に対して、ＰＴＭベアラを確立する。【００８０】
なお、上記のベアラ種別（ＰＴＭベアラ、ＰＴＰベアラ）の選択方法やＰＴＭベアラ確立は、本発明とは直接関係しないので、その詳細な説明は省略する。【００８１】
また、セッション制御部２５は、ＰＴＭベアラを確立する場合には、該当するセルに対して、共通チャネル（Ｓ−ＣＣＰＣＨ（Common  Control  Physical  Channel））の確立手順を実施させる。また、セッション制御部２５は、ＭＩＣＨ上またはＭＣＣＨ上で、ＵＥ６０に対し、サービスが開始することを通知し、さらに、ＰＴＭベアラが確立したことを通知する。同時に、セッション制御部２５は、ＭＢＭＳベアラコンテキスト情報蓄積部２６に蓄積されたベアラ情報を基に、該当するＭＢＭＳに興味があるＵＥ６０を検索し、さらに、検索されたＵＥ６０が個別チャネルを確立している状態（Ｃｅｌｌ＿ＤＣＨ）にあるか判定する。該当するＵＥ６０が見つかった場合には、セッション制御部２５は、該当するＵＥ６０がハンドオーバ中のセルであり、かつ、サービスが開始されるＭＢＭＳのサービスエリアに含まれるセルのセル識別情報をＭＢＭＳ  ＭＯＤＩＦＩＥＤ  ＳＥＲＶＩＣＥＳ  ＩＮＦＯＲＭＡＴＩＯＮメッセージに含める。呼制御部２４は、ＲＲＣメッセージ送受信部２８に対し、ＤＣＣＨ上で、ＭＢＭＳ  ＭＯＤＩＦＩＥＤ  ＳＥＲＶＩＣＥＳ  ＩＮＦＯＲＭＡＴＩＯＮメッセージの送信を行うよう指示する。【００８２】
一方、セッション制御部２５は、ＰＴＰベアラを確立する場合も同様に、ＭＢＭＳベアラコンテキスト情報蓄積部２６に蓄積されたベアラ情報を基に、該当するＭＢＭＳに興味があるＵＥ６０を検索し、さらに、検索されたＵＥ６０が個別チャネルを確立している状態（Ｃｅｌｌ＿ＤＣＨ）にあるか判定する。該当するＵＥ６０が見つかった場合は同様に、呼制御部２４は、ＲＲＣメッセージ送受信部２８に対し、ＤＣＣＨ上で、ＭＢＭＳ  ＭＯＤＩＦＩＥＤ  ＳＥＲＶＩＣＥＳ  ＩＮＦＯＲＭＡＴＩＯＮメッセージの送信を行うよう指示する。【００８３】
ＲＲＣメッセージ送受信部２５の送信部２２は、ＤＣＣＨ上で、ＭＢＭＳ  ＭＯＤＩＦＩＥＤ  ＳＥＲＶＩＣＥＳ  ＩＮＦＯＲＭＡＴＩＯＮメッセージを、ＵＥ６０に対して送信する。【００８４】
ＲＲＣメッセージ送受信部２５の受信部２３は、ＵＥ６０からセル識別情報を含むＭＢＭＳ  ＭＯＤＩＦＩＣＡＴＩＯＮ  ＲＥＱＵＥＳＴメッセージを受信すると、そのＭＢＭＳ  ＭＯＤＩＦＩＣＡＴＩＯＮ  ＲＥＱＵＥＳＴメッセージを呼制御部２４に転送する。【００８５】
呼制御部２４は、受信部２３から転送されてきたＭＢＭＳ  ＭＯＤＩＦＩＣＡＴＩＯＮ  ＲＥＱＵＥＳＴメッセージに含まれるセル識別情報を基に、サービスＩＤおよび事業者ＩＤの解析を行い、ＭＢＭＳベアラコンテキスト情報蓄積部２６に蓄積されたベアラ情報を更新する。【００８６】
図１３に示すように、ＵＥ６０は、図１０と同様の制御部６１と、ＲＮＣ２０側とＲＲＣメッセージの送受信を行うＲＲＣメッセージ送受信部６４と、を有している。【００８７】
なお、図１３においては、ＲＲＣメッセージ送受信部６４は、図１０に示した送信部６２および図８に示した受信部６３を有している。【００８８】
制御部６１は、ＵＥ６０がシステム情報である報知情報を受信しているセルのセル識別情報をＭＢＭＳ  ＭＯＤＩＦＩＣＡＴＩＯＮ  ＲＥＱＵＥＳＴメッセージに含め、ＲＲＣメッセージ送受信部６４に対し、ＤＣＣＨ上で、ＭＢＭＳ  ＭＯＤＩＦＩＣＡＴＩＯＮ  ＲＥＱＵＥＳＴメッセージの送信を行うよう指示する。【００８９】
ＲＲＣメッセージ送受信部６４の送信部６２は、ＤＣＣＨ上で、ＭＢＭＳ  ＭＯＤＩＦＩＣＡＴＩＯＮ  ＲＥＱＵＥＳＴメッセージを、ＲＮＣ２０に対して送信する。【００９０】
ＲＲＣメッセージ送受信部６４の受信部６３は、ＲＮＣ２０からセル識別情報を含むＭＢＭＳ  ＭＯＤＩＦＩＥＤ  ＳＥＲＶＩＣＥＳ  ＩＮＦＯＲＭＡＴＩＯＮメッセージを受信すると、そのＭＢＭＳ  ＭＯＤＩＦＩＥＤ  ＳＥＲＶＩＣＥＳ  ＩＮＦＯＲＭＡＴＩＯＮメッセージを制御部６１に転送する。【００９１】
制御部６１は、受信部６３から転送されてきたＭＢＭＳ  ＭＯＤＩＦＩＥＤ  ＳＥＲＶＩＣＥＳ  ＩＮＦＯＲＭＡＴＩＯＮメッセージに含まれるセル識別情報が、ＵＥ６０が選択しているＭＢＭＳ制御セルのセル識別情報と一致するか否かを判定し、一致する場合にＭＢＭＳ  ＭＯＤＩＦＩＥＤ  ＳＥＲＶＩＣＥＳ  ＩＮＦＯＲＭＡＴＩＯＮメッセージをハンドル（処理）する。つまり、制御部６１は、ＭＢＭＳ  ＭＯＤＩＦＩＥＤ  ＳＥＲＶＩＣＥＳ  ＩＮＦＯＲＭＡＴＩＯＮメッセージに含まれる、セル識別情報以外の他の情報を処理する。例えば、制御部６１は、ＭＢＭＳ  ＭＯＤＩＦＩＥＤ  ＳＥＲＶＩＣＥＳ  ＩＮＦＯＲＭＡＴＩＯＮメッセージに含まれる、ＵＥ６０に要求される動作の情報である動作情報（ＭＢＭＳ  Ｒｅｑｕｉｒｅｄ  ＵＥ  ａｃｔｉｏｎ）に基づく処理を行う。ここで、例えば、動作情報がアクワイアＰＴＭ（Ｐｏｉｎｔ−ｔｏ−Ｍｕｌｔｉｐｏｉｎｔ）無線ベアラ（ＲＢ）にセットされている場合、制御部６１は、ＰＴＭ無線ベアラに関する情報を取得する。また、例えば、動作情報がリクエストＰＴＰ（Ｐｏｉｎｔ−ｔｏ−Ｐｏｉｎｔ）無線ベアラ（ＲＢ）にセットされている場合、制御部６１は、ＭＢＭＳサービスを受信するためのサービスリクエスト手順を開始する。また、例えば、動作情報がリリースＰＴＭ（Ｐｏｉｎｔ−ｔｏ−Ｍｕｌｔｉｐｏｉｎｔ）無線ベアラ（ＲＢ）にセットされている場合、制御部６１は、ＭＢＭＳサービスの受信を停止する。【００９２】
なお、受信部６３から転送されてきたＭＢＭＳ  ＭＯＤＩＦＩＥＤ  ＳＥＲＶＩＣＥＳ  ＩＮＦＯＲＭＡＴＩＯＮメッセージに含まれるセル識別情報が、ＵＥ６０が選択しているＭＢＭＳ制御セルのセル識別情報と一致しない場合は、制御部６１は、ＭＢＭＳ  ＭＯＤＩＦＩＥＤ  ＳＥＲＶＩＣＥＳ  ＩＮＦＯＲＭＡＴＩＯＮメッセージを破棄する。【００９３】
以下、本実施形態によるＭＢＭＳ  ＭＯＤＩＦＩＥＤ  ＳＥＲＶＩＣＥＳ  ＩＮＦＯＲＭＡＴＩＯＮメッセージおよびＭＢＭＳ  ＭＯＤＩＦＩＣＡＴＩＯＮ  ＲＥＱＵＥＳＴメッセージの送信方法について説明する。
（１）ＭＢＭＳ  ＭＯＤＩＦＩＥＤ  ＳＥＲＶＩＣＥＳ  ＩＮＦＯＲＭＡＴＩＯＮメッセージの送信方法
ここでは、ＲＮＣ２０が、ＣＮ４０からＭＢＭＳのサービス１の開始の通知を受けたことをトリガーにして、ＵＥ６０に対して、サービス１の開始を表すＭＯＤＩＦＩＥＤ  ＳＥＲＶＩＣＥＳ  ＩＮＦＯＲＭＡＴＩＯＮメッセージを送信するものとして説明する。なお、ＣＮ４０からＭＢＭＳのその他の変更の通知を受けた場合も同様の方法で、ＭＯＤＩＦＩＥＤ  ＳＥＲＶＩＣＥＳ  ＩＮＦＯＲＭＡＴＩＯＮメッセージが送信される。【００９４】
また、ここでは、図３に示すように、ＵＥ６０が、ハンドオーバ中に、セル１、セル２、およびセル３にまたがってハンドオーバしており、セル２をＭＢＭＳ制御セルとして選択してＭＣＣＨでの受信を行うと仮定する。また、セル２では、ＭＢＭＳのサービス２が既に開始され、セル３では既にＭＢＭＳのサービス３が開始されていると仮定する。【００９５】
図１４に示すように、ＲＮＣ２０は、ステップ８０１において、ＣＮ４０からＭＢＭＳのサービス１の開始を表すＭＢＭＳ  ＳＥＳＳＩＯＮ  ＳＴＡＲＴメッセージを受信すると、ステップ８０２において、サービス１のサービスエリアとなるセルを分析し、無線リソースを確立する。ここでは、サービス１のサービスエリアは、セル１、セル４、セル５、およびセル６であるとする。【００９６】
次に、ＲＮＣ２０は、ステップ８０３において、サービス１に興味を持っているＵＥ６０がサービス１のサービスエリアに在圏しているかどうかを検索し、さらに、ステップ８０４において、ステップ８０３で検索されたＵＥ６０が個別チャネルを確立している状態であるかどうかを判定する。すなわち、ＲＮＣ２０は、「サービス１のサービスエリアに含まれるセル」であり、かつ、「個別チャネルを確立している状態にあるＵＥ６０がハンドオーバしているセル」という両方の条件を満足するセルを検索する。ここでは、セルＩＤ＝１のセル１が該当するとする。【００９７】
したがって、ＲＮＣ２０は、ステップ８０５において、該当するＵＥ６０に対して、セル１を識別するためセル識別情報として、プライマリＣＰＩＣＨ（Primary  common  pilot  channel）のプライマリスクランブリングコードをＭＢＭＳ  ＭＯＤＩＦＩＥＤ  ＳＥＲＶＩＣＥＳ  ＩＮＦＯＲＭＡＴＩＯＮメッセージに含める。【００９８】
そして、ＲＮＣ２０は、ステップ８０６において、ＤＣＣＨ上で、セル識別情報としてプライマリスクランブリングコードを含むＭＢＭＳ  ＭＯＤＩＦＩＥＤ  ＳＥＲＶＩＣＥＳ  ＩＮＦＯＲＭＡＴＩＯＮメッセージを、ＵＥ６０に送信する。【００９９】
なお、ステップ８０３で検索されたＵＥ６０が個別チャネルを確立していない状態であれば、ＲＮＣ２０は、ＭＢＭＳ  ＭＯＤＩＦＩＥＤ  ＳＥＲＶＩＣＥＳ  ＩＮＦＯＲＭＡＴＩＯＮメッセージを、ＭＣＣＨ上またはＭＩＣＨ上で送信することになる。【０１００】
次に、ＵＥ６０は、ステップ８０７において、ＭＢＭＳ  ＭＯＤＩＦＩＥＤ  ＳＥＲＶＩＣＥＳ  ＩＮＦＯＲＭＡＴＩＯＮメッセージにセル識別情報として含まれるプライマリスクランブリングコードと、ＵＥ６０が選択しているＭＢＭＳ制御セルのプライマリスクランブリングコードと、が一致するか照合する。【０１０１】
もし、ステップ８０７の照合結果が一致であれば、ＵＥ６０は、ステップ８０８において、ＭＢＭＳ  ＭＯＤＩＦＩＥＤ  ＳＥＲＶＩＣＥＳ  ＩＮＦＯＲＭＡＴＩＯＮメッセージを処理することにより、ＭＴＣＨ（MBMS  point-to-multipoint  Traffic  Channel）上でサービス１によるＭＢＭＳデータの受信を開始する。【０１０２】
一方、ステップ８０７の照合結果が一致しなければ、ＵＥ６０は、ＭＢＭＳ  ＭＯＤＩＦＩＥＤ  ＳＥＲＶＩＣＥＳ  ＩＮＦＯＲＭＡＴＩＯＮメッセージを破棄する。ここでは、図３に示すように、ＵＥ６０のＭＢＭＳ制御セルはセル２であり、セル１と一致しないため、ＵＥ６０は、ＭＢＭＳ  ＭＯＤＩＦＩＥＤ  ＳＥＲＶＩＣＥＳ  ＩＮＦＯＲＭＡＴＩＯＮメッセージを破棄する。【０１０３】
上述したように本実施形態においては、ＲＮＣ２０は、ＭＢＭＳ  ＭＯＤＩＦＩＥＤ  ＳＥＲＶＩＣＥＳ  ＩＮＦＯＲＭＡＴＩＯＮメッセージにセル識別情報を含めて、ＤＣＣＨ上で、ＵＥ６０に対して送信する。【０１０４】
したがって、ＲＮＣ２０は、ＭＢＭＳ  ＭＯＤＩＦＩＥＤ  ＳＥＲＶＩＣＥＳ  ＩＮＦＯＲＭＡＴＩＯＮメッセージによって、セルに関する情報をＵＥ６０に通知することができる。【０１０５】
また、本実施形態においては、ＵＥ６０は、ＭＢＭＳ  ＭＯＤＩＦＩＥＤ  ＳＥＲＶＩＣＥＳ  ＩＮＦＯＲＭＡＴＩＯＮメッセージに含まれるセル識別情報が、ＵＥ６０で選択しているＭＢＭＳ制御セルのセル識別情報と一致するか否かを判定し、一致する場合に、ＭＢＭＳ  ＭＯＤＩＦＩＥＤ  ＳＥＲＶＩＣＥＳ  ＩＮＦＯＲＭＡＴＩＯＮメッセージを処理する。【０１０６】
したがって、ＵＥ６０は、ＵＥ６０でＭＢＭＳデータを受信可能なＭＢＭＳに関するＭＢＭＳ  ＭＯＤＩＦＩＥＤ  ＳＥＲＶＩＣＥＳ  ＩＮＦＯＲＭＡＴＩＯＮメッセージのみを処理することができるため、受信不可能なＭＢＭＳデータの受信を試みてしまうという誤動作を防止できる。また、受信不可能なＭＢＭＳデータの受信を試みてしまうことによる、現在通信中のＭＢＭＳやＭＢＭＳ以外のサービスのベアラ解放処理などの誤動作も防ぐことができる。【０１０７】
また、本実施形態においては、ＭＢＭＳ  ＭＯＤＩＦＩＥＤ  ＳＥＲＶＩＣＥＳ  ＩＮＦＯＲＭＡＴＩＯＮメッセージに含めるセル識別情報は、ＵＥ６０が個別チャネルを確立している状態でハンドオーバ中のセルであり、かつ、サービスに変更があるＭＢＭＳのサービスエリアに含まれるセルの識別情報である。【０１０８】
したがって、ＲＮＣ２０は、個別チャネルを確立している状態のＵＥ６０に対して、そのＵＥ６０がハンドオーバ中のセルのうち、どのセルで提供しているＭＢＭＳに変更があるかを通知することができる。【０１０９】
なお、本実施形態においては、ＵＥ６０は、ＭＢＭＳ  ＭＯＤＩＦＩＥＤ  ＳＥＲＶＩＣＥＳ  ＩＮＦＯＲＭＡＴＩＯＮメッセージを受信した際に、ＭＯＤＩＦＩＥＤ  ＳＥＲＶＩＣＥＳ  ＩＮＦＯＲＭＡＴＩＯＮメッセージに含まれるセル識別情報が、ＵＥ６０のＭＢＭＳ制御セルのセル識別情報と一致する場合、または、ＭＯＤＩＦＩＥＤ  ＳＥＲＶＩＣＥＳ  ＩＮＦＯＲＭＡＴＩＯＮメッセージにセル識別情報が含まれていない場合に、ＭＢＭＳ  ＭＯＤＩＦＩＥＤ  ＳＥＲＶＩＣＥＳ  ＩＮＦＯＲＭＡＴＩＯＮメッセージを処理することもできる。【０１１０】
これにより、ＵＥ６０は、ＵＥ６０でＭＢＭＳデータを受信可能なＭＢＭＳに関するＭＢＭＳ  ＭＯＤＩＦＩＥＤ  ＳＥＲＶＩＣＥＳ  ＩＮＦＯＲＭＡＴＩＯＮメッセージ以外のＭＢＭＳ  ＭＯＤＩＦＩＥＤ  ＳＥＲＶＩＣＥＳ  ＩＮＦＯＲＭＡＴＩＯＮメッセージを処理することが減るため、受信不可能なＭＢＭＳデータの受信を試みてしまうという誤動作を減らすことできる。また、受信不可能なＭＢＭＳデータの受信を試みてしまうことによる、現在通信中のＭＢＭＳやＭＢＭＳ以外のサービスのベアラ解放処理などの誤動作も減らすことができる。【０１１１】
（２）ＭＢＭＳ  ＭＯＤＩＦＩＣＡＴＩＯＮ  ＲＥＱＵＥＳＴメッセージの送信方法
ここでは、図４に示すように、ＲＮＣ２０が、３つの事業者によって共有されている場合において、図５に示すように、ＵＥ６０がハンドオーバ状態であり、事業者１のセル１、事業者２のセル２、事業者３のセル３と無線リンクを確立しているケースを例に考える。また、ＵＥ６０は、システム情報である報知情報をセル２から読み込んでいるものと仮定する。また、セル１では事業者１のサービスＩＤ＝１のサービスが、セル２では事業者２のサービスＩＤ＝１のサービスが、セル３では事業者３のサービスＩＤ＝１のサービスが実施されていると仮定する。【０１１２】
図１５に示すように、ＵＥ６０は、［背景技術］の項で述べた（Ａ）または（Ｂ）の簡略化された方法で事業者ＩＤを通知する場合、どのセルから報知情報を読み込んだかを示すため、ステップ９０１において、報知情報を読み込んでいるセルのセル識別情報としてプライマリスクランブリングコードをＭＢＭＳ  ＭＯＤＩＦＩＣＡＴＩＯＮ  ＲＥＱＵＥＳＴメッセージに含める。【０１１３】
そして、ＵＥ６０は、ステップ９０２において、セル識別情報としてプライマリスクランブリングコードを含むＭＢＭＳ  ＭＯＤＩＦＩＣＡＴＩＯＮ  ＲＥＱＵＥＳＴメッセージを、ＤＣＣＨ上でＲＮＣ２０に送信する。【０１１４】
上述したように本実施形態においては、ＵＥ６０は、ＭＢＭＳ  ＭＯＤＩＦＩＣＡＴＩＯＮ  ＲＥＱＵＥＳＴメッセージにセル識別情報を含めて、ＤＣＣＨ上で、ＲＮＣ２０に対して送信する。【０１１５】
したがって、ＵＥ６０は、ＭＢＭＳ  ＭＯＤＩＦＩＣＡＴＩＯＮ  ＲＥＱＵＥＳＴメッセージによって、セルに関する情報をＲＮＣ２０に通知することができる。【０１１６】
また、本実施形態においては、ＭＢＭＳ  ＭＯＤＩＦＩＣＡＴＩＯＮ  ＲＥＱＵＥＳＴメッセージに含めるセル識別情報は、ＵＥ６０がシステム情報である報知情報を受信したセルの識別情報である。【０１１７】
したがって、ＵＥ６０は、ＲＮＣ２０に対して、ＵＥ６０がどのセルから報知情報を読み込んでいるかを通知することができる。これにより、ＲＮＣ２０は、ＵＥ６０から（Ａ）または（Ｂ）の簡略化された方法で通知された事業者ＩＤを一意に特定できるため、ネットワークシェアリング環境においても、ＭＢＭＳを実施することが可能となる。【０１１８】
なお、本実施形態においては、ＵＥ６０は、ソフトハンドオーバまたはハードハンドオーバによって、ＭＢＭＳ制御セルを更新する場合、更新後のＭＢＭＳ制御セルのセル識別情報をＲＲＣメッセージ（例えば、ＭＥＡＳＵＲＥＭＥＮＴ  ＲＥＰＯＲＴメッセージや、ＭＢＭＳ  ＭＯＤＩＦＩＣＡＴＩＯＮ  ＲＥＱＵＥＳＴメッセージ）に含めて、ＤＣＣＨ上で送信することとしても良い。これにより、ＵＥ６０は、更新後のＭＢＭＳ制御セルをＲＮＣ２０に通知することができる。【０１１９】
さらに、本実施形態においては、ＵＥ６０は、ＭＢＭＳ  ＭＯＤＩＦＩＣＡＴＩＯＮ  ＲＥＱＵＥＳＴメッセージにセル識別情報を含め、そのセル識別情報をＵＥ６０のＭＢＭＳ制御セルのセル識別情報に設定することもできる。これにより、ＲＮＣ２０に通知したセルとＵＥ６０のＭＢＭＳ制御セルとを一致させることができる。【０１２０】
図１６に、更新後のＭＢＭＳ制御セルのセル識別情報をＭＥＡＳＵＲＥＭＥＮＴ  ＲＥＰＯＲＴメッセージに含めるケースを示す。【０１２１】
図１６に示すように、ＵＥ６０は、ステップ１００１において、ＭＢＭＳ制御セルの更新があった場合、ステップ１００２において、更新後のＭＢＭＳ制御セルのセル識別情報としてプライマリスクランブリングコードをＭＥＡＳＵＲＥＭＥＮＴ  ＲＥＰＯＲＴメッセージに含めて、ＲＮＣ２０に送信する。以降の処理は、図１４と同様である。【０１２２】
これにより、ＲＮＣ２０は、ＵＥ６０が選択している最新のＭＢＭＳ制御セルを正確に把握することができる。そのため、ＲＮＣ２０が、ＭＢＭＳ制御セルがサービスエリアにないＵＥ６０に対して、ＭＢＭＳ  ＭＯＤＩＦＩＥＤ  ＳＥＲＶＩＣＥＳ  ＩＮＦＯＲＭＡＴＩＯＮメッセージを誤って送信してしまうことを防止できる。【０１２３】
また、本実施形態おいては、ＵＥ６０は、［背景技術］の項で述べた（Ｃ）の方法で事業者ＩＤを通知することもできる。これによって、ＲＮＣ２０は、完全な事業者ＩＤとサービスＩＤを知ることができ、ネットワークシェアリング環境においてＭＢＭＳを実施することができる。【０１２４】
また、本実施形態においては、セル識別情報として、プライマリスクランブリングコードを用いたが、セルＩＤを用いても良い。【０１２５】
以上、実施形態を参照して本願発明を説明したが、本願発明は上記実施形態に限定されものではない。本願発明の構成や詳細には、本願発明の範囲内で当業者が理解し得る様々な変更をすることができる。【０１２６】
本出願は、２００７年１０月２５日に出願された日本出願特願２００７−２７７４８１を基礎とする優先権を主張し、その開示の全てをここに取り込む。
【図１】
2009054186.tif 000003
【図２】
2009054186.tif 000004
【図３】
2009054186.tif 000005
【図４】
2009054186.tif 000006
【図５】
2009054186.tif 000007
【図６】
2009054186.tif 000008
【図７】
2009054186.tif 000009
【図８】
2009054186.tif 000010
【図９】
2009054186.tif 000011
【図１０】
2009054186.tif 000012
【図１１】
2009054186.tif 000013
【図１２】
2009054186.tif 000014
【図１３】
2009054186.tif 000015
【図１４】
2009054186.tif 000016
【図１５】
2009054186.tif 000017
【図１６】
2009054186.tif 000018
【国際調査報告】
2009054186.tif 000019
2009054186.tif 000020
2009054186.tif 000021